(57)【要約】   本発明は、疫病期間中の公共場所における潜在感染者の追跡方法、装置及びシステムを提供する。本発明による方法には、感染確認者の関連情報に基づいて、前記感染確認者の公共場所での活動の時間ノード及び前記時間ノードとマッチングする位置情報を決定するステップと、公共場所における前記感染確認者の時間ノードと位置情報、感染症の伝播メカニズムに基づいて、前記公共場所におけるビデオ監視装置のビデオフレームデータを利用して潜在感染者を検索するステップと、マルチターゲット追跡技術に従って前記潜在感染者を追跡し、前記公共場所における前記潜在感染者の活動を行った時間ノードを結合して身元を確認するステップとを含む。本発明は、主動的に公共場所で感染確認者と関連する潜在感染者を検索し、その身元を決定する。データテストの結果、その精度は８０％以上に達することができ、これにより、公共交通機関における潜在感染者の検索と確認の問題を大幅に解決し、感染の予防と制御に重要な役割を果たす。【選択図】図１
2021508896.tif 000002
【特許請求の範囲】
【請求項１】
感染確認者の関連情報によって、前記感染確認者の公共場所における活動の時間ノード、及び前記時間ノードとマッチングする位置情報を決定するステップと、
前記感染確認者の前記公共場所における前記時間ノードと前記位置情報により、感染症の伝播メカニズムに基づいて、前記公共場所のビデオ監視装置によって提供されるビデオフレームデータを利用して、潜在感染者を検索するステップと、
マルチターゲット追跡に基づいて、前記潜在感染者を追跡し、前記潜在感染者の前記公共場所における活動の時間ノードを結合して身元を確認するステップとを含む、ことを特徴とする疫病期間中の公共場所における潜在感染者の追跡方法。
【請求項２】
前記感染確認者の関連情報には、感染確認者の身元情報と利用した交通手段の運行情報とが含まれ、
前記感染確認者の前記公共場所における位置情報を決定することには、
前記感染確認者の前記公共場所で行った活動に対応する時間ノードによって、前記公共場所での対応のビデオ監視装置を決定するステップと、
前記ビデオ監視装置から抽出された各時間ノードのビデオフレームを受信するステップと、
前記ビデオフレームにおいて、前記感染確認者を検出、抽出し、継続的に追跡確認するステップとが含まれる、
ことを特徴とする請求項１に記載の疫病期間中の公共場所における潜在感染者の追跡方法。
【請求項３】
前記ビデオフレームにおいて、前記感染確認者を検出、抽出し、継続的に追跡確認することには、
異なる時間ノードの異なるビデオフレームにおける前記感染確認者の位置及び特徴を抽出し、特徴空間を構築することと、
移動距離と軌跡確率に基づいて空間確率特徴を構築することと、
前記特徴空間及び前記空間確率特徴に基づいて、隣接する時点の異なるビデオフレームにおける感染確認者の類似度を判断し、類似度が所定の閾値より大きい場合、そのビデオフレームにおける感染確認者をもとにして、前記感染確認者の公共場所におけるすべての位置の記述が完了するまで追跡を続けて、前記感染確認者の公共場所における軌跡を確認することとが含まれる、
ことを特徴とする請求項２に記載の疫病期間中の公共場所における潜在感染者の追跡方法。
【請求項４】
前記感染症の伝播メカニズムに基づいて、前記公共場所のビデオ監視装置によって提供されるビデオフレームデータを利用して潜在感染者を検索することには、
前記ビデオフレームにおいて、前記感染確認者の位置を円心として、所定の感染症の伝播範囲をビデオフレームでの距離にマッピングした後、前記距離を半径として円形エリアを構築することと、
前記円形エリアにおける通行人を潜在感染者として決定することと、
前記感染確認者の現在のビデオフレームを開始ビデオフレームとして、前記感染確認者の位置が条件：
【数１】
2021508896.tif 000030
（ここで、Ｏｉは前記感染確認者の現在の位置を表し、Ｏｉ−１は前記感染確認者の移動軌跡における他の位置を表す。）
を満たすまで、該当のビデオフレームに対応する時間ノードに対し、前後の追跡を行うことと、
Ｏｉを中心として、ｄｉを半径として、継続して円形エリアを構築し、再び潜在感染者を検索することとが含まれており、
前記公共場所におけるすべての感染者を見つけるまで、上記のステップを繰り返す、
ことを特徴とする請求項３に記載の疫病期間中の公共場所における潜在感染者の追跡方法。
【請求項５】
マルチターゲット追跡に基づいて、前記潜在感染者を追跡し、前記潜在感染者の前記公共場所における活動の時間ノードを結合して身元を確認することには、
検索された前記潜在感染者の異なる時間ノードの異なるビデオフレームにおける位置及び特徴を抽出して、特徴空間を構築するステップと、
移動距離と軌跡確率に基づいて空間確率特徴を構築するステップと、
前記特徴空間及び前記空間確率特徴に従い、隣接する時点の異なるビデオフレームにおける潜在感染者の類似度を判断し、類似度が所定の閾値より大きい場合、そのビデオフレームにおける潜在感染者をもとに追跡を続け、前記潜在感染者の登録を行ったノードを追跡した時に前記潜在感染者の身元を確認して報告するステップとが含まれる、
ことを特徴とする請求項４に記載の疫病期間中の公共場所における潜在感染者の追跡方法。
【請求項６】
前記感染確認者の異なる時間ノードの異なるビデオフレームにおける位置及び特徴を抽出した後、さらに、特徴ピラミッドを構築し、前記特徴ピラミッドに応じて前期特徴空間を決定することを含み、及び、
検索された前記潜在感染者の異なる時間ノードの異なるビデオフレームにおける位置及び特徴を抽出した後、さらに、特徴ピラミッドを構築し、前記特徴ピラミッドに応じて前記特徴空間を決定することを含む、
ことを特徴とする請求項５に記載の疫病期間中の公共場所における潜在感染者の追跡方法。
【請求項７】
前記感染確認者又は前記潜在感染者のビデオフレームにより取得された特徴空間及び空間確立特徴に基づいて、隣接する時点の異なるビデオフレームにおける前記感染確認者又は前記潜在感染者の類似度を判断するには、
第ｉ時刻にビデオフレームから抽出した特徴ピラミッドで構築される特徴空間を
【数２】
2021508896.tif 000031
として、
第ｊ＝ｉ＋１時刻にビデオフレームから抽出した特徴ピラミッドで構築される特徴空間を
【数３】
2021508896.tif 000032
として、
前記感染確認者又は前記潜在感染者の異なる方向における空間確率特徴をPｉとした場合、
異なるビデオフレームにおける前記感染確認者又は前記潜在感染者の類似度を、下記の計算式：
【数４】
2021508896.tif 000033
2021508896.tif 000034
（ここで、Ｑは異なるビデオフレームにおける前記感染確認者の類似度又は異なるビデオフレームにおける前記潜在感染者の類似度であって、ｉとｊはいずれも自然数であって、実際の応用では、Ｐ１＞Ｐ２＞Ｐ３である。）により計算される、
ことを特徴とする請求項６に記載の疫病期間中の公共場所における潜在感染者の追跡方法。
【請求項８】
前記公共場所はターミナルであって、
前記ターミナルは、チェックインエリア、セキュリティチェックエリア、待機エリアに分けられており、
前記チェックインエリア、前記セキュリティチェックエリア及び前記待機エリアにおいて、請求項１から請求項７のいずれか１項に記載の疫病期間中の公共場所における潜在感染者の追跡方法を実行し、
前記感染確認者に対して、前記チェックインエリアで確認された潜在感染者を第１集合とし、前記セキュリティチェックエリアで確認された潜在感染者を第２集合とし、前記待機エリアで確認された潜在感染者を第３集合とする場合、
前記第１集合、前記第２集合、及び前記第３集合の和集合を潜在感染者と見なす、
ことを特徴とする疫病期間中の公共場所における潜在感染者の追跡方法。
【請求項９】
感染確認者の関連情報によって、前記感染確認者の公共場所における活動の時間ノード、及び前記時間ノードとマッチングする位置情報を決定する、感染確認者検索モジュールと、
前記感染確認者の前記公共場所における時間ノードと位置情報により、感染症の伝播メカニズムに基づいて、前記公共場所のビデオ監視装置によって提供されるビデオフレームデータを利用して潜在感染者を検索する、潜在感染者検索モジュールと、
マルチターゲット追跡に基づいて、前記潜在感染者を追跡し、前記潜在感染者の前記公共場所における活動の時間ノードを結合して身元を確認する、潜在感染者身元確認モジュールとを含む、ことを特徴とする疫病期間中の公共場所における潜在感染者の追跡装置。
【請求項１０】
少なくとも一つのプロセッサと、
前記少なくとも１つのプロセッサに通信可能に接続されるメモリとを含んでおり、
前記メモリには、前記少なくとも１つのプロセッサによって実行可能な命令が記憶されており、
前記少なくとも１つのプロセッサにより前記命令を実行することで、請求項１から請求項９のいずれか１項に記載の疫病期間中の公共場所における潜在感染者の追跡方法が前記少なくとも１つのプロセッサによって実行される、
ことを特徴とする疫病期間中の公共場所における潜在感染者の追跡システム。
【発明の詳細な説明】
【技術分野】
【０００１】
本発明は、公共場所の密集エリアにおける目標追跡の技術分野に関し、特に、疫病期間中の公共場所における潜在感染者の追跡方法、装置及びシステムに関する。
【背景技術】
【０００２】
感染症の伝播過程において、Ａ、Ｂ、Ｃの３種類の人がいると想定する。ＣとＡが明らかな知り合いの場合、Ａが患者と診断されたら、Ａと接触したＣを決定することは簡単である。また、Ａが公共場所（旅行中の空港、駅又は埠頭など）で知らないＢに出会い、ＡはＢの存在を知らず、ＢもＡの存在を知らないと想定すると、数日間のウイルス潜伏期間を経た後、Ａがウイルス感染者であることが判明されたら、Ａと公共場所で接触したことがあるＢもウイルス潜在感染者になる。しかしながら、Ｂが感染者であると明確に診断される前に、Ｂが感染者であるとのことを、Ｂ自身を含んだ誰も知らないため、Ｂのような潜在感染者は非常に危険である。それにもかかわらず、Ｂは何の感染防止措置もせずに公共場所に出ることになり、ＡとＢの接触により確実にＢの感染を引き起こした場合、Ｂが潜伏期間にあったこの期間は間違いなくウイルスのより広い範囲の拡散と伝播につながる。
【０００３】
潜在感染者（「Ｂ類の人」と呼ぶ）が公共の交通機関や場所で感染確認者又は疫病源地の人（「Ａ類の人」と呼ぶ）と接触したことがあったかを確認する方法は、疫病の予防に係る重要な部分である。
【０００４】
潜在感染者の発見問題を解決できる解決策又はソフトウェアが既に幾つかある。例えば、空港又は待機室又は改札口では、下記の解決策が採用される。
【０００５】
解決策１：乗った車両、フライト情報及び座席情報によって、自分と感染確認者が同じフライトであるかどうか、及び座席番号が近いかどうかを確認する。
解決策２：利用者の旅行データに基づいて、ウイルスに感染される確率を分析する。
解決策３：人工的に感染確認者の移動軌跡に従って、主動的に潜在感染者を検索する。
【０００６】
しかし、上記３つの主流的な解決策は、下記の問題が存在する。
（１）解決策１は、比較的に狭い範囲で潜在感染者を検索するため、フライトしか特定できない。既に感染者の滞在が確認され且つ滞在時間が長い場所を含むターミナルに対しては、潜在感染者を特定して確認することが難しい。
（２）解決策２は、主に利用者の旅行データに基づいて、時間を関連付けて潜在感染者を検索する方案である。この解決策は、応用範囲が広い利点があるが、分析の粒度が粗く、主動的な検索による確認であるため、受動的にスクリーニングし検索して身元を確認することはできない。
（３）解決策３は、主に人工的に、主動的に検索を行って、感染確認者の移動軌跡を公開することにより、接触者が自ら自分が潜在感染者であるかどうかを確認する。
【０００７】
上記の３つの解決策は、どちらもある程度で潜在感染者をスクリーニングすることができるが、空港ターミナルの場合、いずれによってもターミナルにおける潜在感染者の身元を確認する課題は解決できない。
【０００８】
要するには、大型の空港ターミナル、駅、バス停留所などは人々が比較的に集中して長く滞在する公共場所であって、感染症の予防で重点的に注目される場所である。このため、感染確認者の情報に基づいて、上記のような公共場所から潜在感染者を正確に特定して身元を確認する方法は、当業者が早急に解決する必要のある技術的な課題である。
【発明の概要】
【０００９】
上記のような実情に鑑みて、本発明は、感染症の伝播メカニズムをルートとして、マルチターゲット追跡に基づいて潜在感染者の位置及び軌跡を決定し、時間及び空間の次元の特徴を結合して潜在感染者に対する身元確認を実現する、疫病期間中の公共場所における潜在感染者の追跡方法、装置及びシステムを提供する。
【００１０】
第一において、本発明の実施形態による疫病期間中の公共場所における潜在感染者の追跡方法は、
感染確認者の関連情報によって、前記感染確認者の公共場所における活動の時間ノード、及び前記時間ノードとマッチングする位置情報を決定することと、
前記感染確認者の前記公共場所における時間ノードと前記位置情報により、感染症の伝播メカニズムに基づいて、前記公共場所のビデオ監視装置によって提供されるビデオフレームデータを利用して、潜在感染者を検索することと、
マルチターゲット追跡に基づいて、前記潜在感染者を追跡し、前記潜在感染者の前記公共場所における活動の時間ノードを結合して身元を確認することとを含む。
【００１１】
さらに、上記の追跡方法において、前記感染確認者の関連情報には、感染確認者の身元情報と利用した交通手段の運行情報とが含まれる。
【００１２】
さらに、上記の追跡方法において、前記感染確認者の前記公共場所における位置情報を決定することには、
前記感染確認者の前記公共場所における活動に対応する時間ノードにより、前記公共場所での対応のビデオ監視装置を決定するステップと、
前記ビデオ監視装置から抽出された各時間ノードのビデオフレームを受信するステップと、
前記ビデオフレームにおいて、前記感染確認者の検出、抽出及び確認を行うステップとが含まれる。
【００１３】
さらに、上記の追跡方法において、前記ビデオフレームから前記感染確認者の検出、抽出及び確認を行うことには、
異なる時間ノードの異なるビデオフレームにおける前記感染確認者の位置及び特徴を抽出して特徴空間を構築することと、
移動距離と軌跡確率に基づいて空間確率特徴を構築することと、
前記特徴空間及び前記空間確率特徴に従い、隣接する時点の異なるビデオフレームにおける感染確認者の類似度を判断し、類似度が所定の閾値より大きい場合、そのビデオフレームにおける感染確認者をもとにして追跡を続けて、前記感染確認者の前記公共場所におけるすべての位置を記述した後、前記感染確認者の公共エリアにおける軌跡を確認することとが含まれる。
【００１４】
さらに、上記の追跡方法において、前記感染症の伝播メカニズムに基づいて、前記公共場所のビデオ監視装置によって提供されるビデオフレームデータを利用して潜在感染者を検索することには、
前記ビデオフレームにおいて、前記感染確認者の位置を円心として、所定の感染症の伝播範囲をビデオフレームでの距離にマッピングした後、前記距離を半径として円形エリアを構築することと、
前記円形エリアにおける通行人を潜在感染者として決定することと、
前記感染確認者の現在のビデオフレームを開始ビデオフレームとして、前記感染確認者の位置が条件：
【数１】
2021508896.tif 000003
（ここで、Ｏｉは前記感染確認者の現在の位置を表し、Ｏｉ−１は前記感染確認者の移動軌跡における他の位置を表す。）
を満たすまで、前記ビデオフレームに対応する時間ノードに対し前後の追跡を行うことと、
Ｏｉを中心として、ｄｉを半径として、継続して円形エリアを構築し、再び潜在感染者を検索することとが含まれており、
前記公共場所におけるすべての感染者を見つけるまで、上記のステップを繰り返す。
【００１５】
さらに、上記の追跡方法において、マルチターゲット追跡に基づいて、前記潜在感染者を追跡し、前記潜在感染者前記公共場所で行った活動の時間ノードを結合して身元を確認することには、
検索された前記潜在感染者の異なる時間ノードの異なるビデオフレームにおける位置及び特徴を抽出して、特徴空間を構築することと、
移動距離と軌跡確率に基づいて空間確率特徴を構築することと、
前記特徴空間及び前記空間確率特徴に基づいて、隣接する時点の異なるビデオフレームにおける潜在感染者の類似度を判断し、類似度が所定の閾値より大きい場合、そのビデオフレームにおける潜在感染者をもとにしてて追跡を続けて、前記潜在感染者の登録を行ったノードを追跡した時に前記潜在感染者の身元を確認して報告することとが含まれる。
【００１６】
さらに、上記の追跡方法において、前記感染確認者の異なる時間ノードの異なるビデオフレームにおける位置及び特徴を抽出した後、さらに、特徴ピラミッドを構築し、前記特徴ピラミッドに応じて前期特徴空間を決定することを含み、及び、
検索された前記潜在感染者の異なる時間ノードの異なるビデオフレームにおける位置及び特徴を抽出した後も、さらに、特徴ピラミッドを構築し、前記特徴ピラミッドに応じて前記特徴空間を決定することを含む。
【００１７】
さらに、上記の追跡方法において、前記感染確認者又は前記潜在感染者のビデオフレームにより取得された特徴空間と及び空間確立特徴に基づいて、隣接する時点の異なるビデオフレームにおける前記感染確認者又は前記潜在感染者の類似度を判断するには、
第ｉ時刻にビデオフレームから抽出した特徴ピラミッドで構築される特徴空間を
【数２】
2021508896.tif 000004
として、
第ｊ＝ｉ＋１時刻にビデオフレームから抽出した特徴ピラミッドで構築される特徴空間を
【数３】
2021508896.tif 000005
として、
前記感染確認者又は前記潜在感染者の異なる方向における空間確率特徴をＰｉとした場合、
異なるビデオフレームにおける前記感染確認者又は前記潜在感染者の類似度を、次のように計算される。
【数４】
2021508896.tif 000006
2021508896.tif 000007
【００１８】
ここで、Ｑは異なるビデオフレームにおける前記感染確認者の類似度又は異なるビデオフレームにおける前記潜在感染者の類似度であって、ｉとｊはいずれも自然数である。実際の応用では、Ｐ１＞Ｐ２＞Ｐ３である。
【００１９】
第二において、本発明の他の実施形態による疫病期間中の公共場所における潜在感染者の追跡装置は、
感染確認者の関連情報によって、前記感染確認者の公共場所における活動の時間ノード、及び前記時間ノードとマッチングする位置情報を決定する、感染確認者検索モジュールと、
前記感染確認者の前記公共場所での時間ノードと位置情報に基づき及び感染症の伝播メカニズムに基づいて、前記公共場所のビデオ監視装置によって提供されるビデオフレームデータを利用して潜在感染者を検索する、潜在感染者検索モジュールと、
マルチターゲット追跡に基づいて、前記潜在感染者を追跡し、前記潜在感染者の前記公共場所での活動の時間ノードを結合して身元を確認する、潜在感染者身元確認モジュールとを含む。
【００２０】
さらに、上記の追跡装置において、前記感染確認者の関連情報には、前記感染確認者の身元情報と利用した交通手段の運行情報とが含まれる。
【００２１】
さらに、上記の追跡装置において、前記感染確認者検索モジュールには、
前記感染確認者の前記公共場所における活動の時間ノードによって、前記公共場所での対応のビデオ監視装置を決定するビデオ監視デバイス決定ユニットと、
前記ビデオ監視装置から抽出された各時間ノードのビデオフレームを受信する受信ユニットと、
前記ビデオフレームで、前記感染確認者の検出、抽出及び確認を行う感染確認者確認ユニットとを含む。
【００２２】
さらに、上記の追跡装置において、前記感染確認者確認ユニットは、
異なる時間ノードの異なるビデオフレームにおける前記感染確認者の位置及び特徴を抽出して、特徴空間を構築する第１特徴空間構築サブユニットと、
移動距離と軌跡確率に基づいて空間確率特徴を構築する第１空間確率特徴構築サブユニットと、
前記特徴空間及び前記空間確率特徴に基づいて、隣接する時点の異なるビデオフレームにおける感染確認者の類似度を判断し、類似度が所定の閾値より大きい場合、そのビデオフレームにおける感染確認者をもとにして追跡を続けて、前記感染確認者の登録を行ったノードを追跡した時に、前記感染確認者に対して確認を行う第１確認ユニットとを含む。
【００２３】
さらに、上記の追跡装置において、前記潜在感染者検索モジュールにより、
前記ビデオフレームにおいて、前記感染確認者の位置を円心とし、所定の感染症の伝播範囲をビデオフレームでの距離にマッピングした後、前記距離を半径として円形エリアを構築することと、
前記円形エリアにおける通行人を潜在感染者と決定することと、
前記感染確認者の現在のビデオフレームを開始ビデオフレームとして、前記感染確認者の位置が条件：
【数５】
2021508896.tif 000008
（ここで、Ｏｉは前記感染確認者の現在の位置を表し、Ｏｉ−１は前記感染確認者の移動軌跡における他の位置を表す。）
を満すまで、前記ビデオフレームに対応する時間ノードに対し前後の追跡を行うことと、
Ｏｉを中心として、ｄｉを半径として、継続して円形エリアを構築し、再び潜在感染者を検索することとを実現する。
【００２４】
さらに、上記の追跡装置において、潜在感染者身元確認モジュールは、
検索された前記潜在感染者の異なる時間ノードの異なるビデオフレームにおける位置及び特徴を抽出し、特徴空間を構築する第２特徴空間構築サブユニットと、
移動距離と軌跡確率に基づいて空間確率特徴を構築する第２空間確率特徴構築サブユニットと、
前記特徴空間及び前記空間確率特徴に基づいて、隣接する時点の異なるビデオフレームにおける潜在感染者の類似度を判断し、類似度が所定の閾値より大きい場合、そのビデオフレームにおける潜在感染者をもとにして追跡を続けて、前記潜在感染者の登録を行ったノードが追跡されたときに前記潜在感染者の身元を確認して報告する第２確認サブユニットとを含む。
【００２５】
上記の追跡装置において、前記感染確認者の異なる時間ノードの異なるビデオフレームにおける位置及び特徴を抽出した後、さらに、特徴ピラミッドを構築し、前記特徴ピラミッドに応じて前期特徴空間を決定することを含み、及び、
検索された前記潜在感染者の異なる時間ノードの異なるビデオフレームにおける位置及び特徴を抽出した後も、さらに、特徴ピラミッドを構築し、前記特徴ピラミッドに応じて前記特徴空間を決定することを含む。
【００２６】
さらに、上記の追跡装置は、前記第１確認サブユニット及び前記第２確認サブユニットにおいて、
第ｉ時刻にビデオフレームから抽出した特徴ピラミッドで構築される特徴空間を
【数６】
2021508896.tif 000009
とし、
第ｊ＝ｉ＋１時刻にビデオフレームから抽出した特徴ピラミッドで構築される特徴空間を
【数７】
2021508896.tif 000010
とし、
前記感染確認者又は前記潜在感染者の異なる方向における空間確率特徴をＰｉとした場合、
異なるビデオフレームにおける前記感染確認者又は前記潜在感染者の類似度が次のように計算される。
【００２７】
【数８】
2021508896.tif 000011
2021508896.tif 000012
ここで、Ｑは異なるビデオフレームにおける前記感染確認者の類似度又は異なるビデオフレームにおける前記潜在感染者の類似度であって、ｉとｊはいずれも自然数である。実際の応用では、Ｐ１＞Ｐ２＞Ｐ３である。
【００２８】
第三において、本発明のまた他の実施形態による疫病期間中の公共場所における潜在感染者の追跡方法において、
前記公共場所はターミナルであって、前記ターミナルはチェックインエリア、セキュリティチェックエリア、待機エリアに分けられており、前記チェックインエリア、前記セキュリティチェックエリア及び前記待機エリアにおいて、上記のいずれか一項に記載の疫病期間中の公共場所における潜在感染者の追跡方法を実行し、前記感染確認者に対し、前記チェックインエリアで確認された潜在感染者を第１集合とし、前記セキュリティチェックエリアで確認された潜在感染者を第２集合とし、前記待機エリアで確認された潜在感染者を第３集合とする場合、前記第１集合、第２集合、及び第３集合の和集合を潜在感染者と見なす。
【００２９】
本発明は、公共場所（空港ターミナルなど）の既存の監視環境に基づいており、感染確認者の身元が確認された上で、主動的に公共場所で感染確認者と関連する潜在感染者を検索して、その身元を決定する。データテストの結果、その精度は８０％以上も達し、これにより、公共交通機関における潜在感染者の検索と確認の課題を大幅に解決して、感染予防と制御に重要な役割を果たすことができる。
【図面の簡単な説明】
【００３０】
本発明の実施形態の技術方案をより明確に説明するために、以下では、実施形態に必要な図面を簡単に説明する。明らかに、以下の説明における図面は、本発明の幾つかの実施形態に過ぎなく、当業者であれば創造的な作業なしにこれらの図面に基づいて他の図面を得ることができる。
【図１】図１は、本発明の実施形態による疫病期間中の公共場所における潜在感染者の追跡方法のステップを示すフローチャートである。
【図２】図２は、本発明の実施形態による疫病期間中の公共場所における潜在感染者の追跡方法の業務フローチャートである。
【図３】図３は、本発明の実施形態による疫病期間中の公共場所における潜在感染者の追跡方法において、感染確認者のターミナルビルにおける活動の時間ノード、及び時間ノードとマッチングする位置情報を決定するステップを示すフローチャートである。
【図４】図４は、本発明の実施形態による疫病期間中の公共場所における潜在感染者の追跡方法において、潜在感染者を検索するステップを示すフローチャートである。
【図５】図５は、本発明の実施形態による疫病期間中の公共場所における潜在感染者の追跡方法において、感染確認者が出ているビデオフレームに対し通行人の検出及び番号付けを行う際の概略図である。
【図６】図６は、本発明の実施形態による疫病期間中の公共場所における潜在感染者の追跡方法において、感染確認者を円心として、平面上の円を構築して第１陣の潜在感染者を決定する場合の概略図である。
【図７】図７は、本発明の実施形態による疫病期間中の公共場所における潜在感染者の追跡方法において、円Ｏ1の半径を計算するためのモデルの概略図である。
【図８】図８は、本発明の実施形態による疫病期間中の公共場所における潜在感染者の追跡方法において、円Ｏに外接される円Ｏ1における第２陣の潜在感染者を示す概略図である。
【図９】図９は、本発明の実施形態による疫病期間中の公共場所における潜在感染者の追跡方法において、特徴ピラミッドを示す概略図である。
【図１０】図１０は、本発明の実施形態による疫病期間中の公共場所における潜在感染者の追跡装置の構造ブロック図である。
【発明を実施するための形態】
【００３１】
以下、図面を参照して、本発明の実施形態について詳細に説明する。
【００３２】
以下では、特定の具体実施例を通じて本発明の実施形態を説明するが、当業者であれば、本明細書に記載された内容から本発明の他の利点及び効果を容易に理解することができる。明らかに、説明された実施形態は、本発明の実施形態の一部に過ぎず、すべての実施形態ではない。本発明は、他の具体の実施形態を通じて実施又は応用されることもでき、本明細書の各細部に対しても、異なる視点及び用途に基づいて、本発明の精神をら逸脱しない範囲で様々な修正又は変更を行うことができる。説明すべきことは、以下の実施形態及び実施形態に関わる特徴は、矛盾がない限り相互組み合わせることができる。本明細書に記載されたの実施形態に基づいて、当業者が創造的な努力をすることなく取得した他のすべての実施形態は、すべて本発明の保護範囲に属する。
【００３３】
説明すべきことは、本明細書では、本発明の特許請求の範囲における実施形態の様々な態様を説明する。明らかに、本明細書で説明される態様は多種多様な形態で具現化されてもよく、本明細書で説明されるいずれの特定の構造及び／又は機能は単に例示的なものである。当業者であれば、本明細書の記載に基づいて、本明細書で説明する各形態がそれぞれ単独に実施可能であり、または２つ以上の形態が様々な形式で組み合わせて実施可能であることを分かるべきである。例えば、本明細書に記載されている任意の数の実施形態を使用して、装置及び／又は方法を実施することができる。なお、本明細書に記載の実施形態による１つ又は複数の構成に加えて、他の構造及び／又は機能を使用して、該当の装置及び／又は方法を実施することができる。
【００３４】
また、説明すべきことは、以下の実施形態で提供される図面は、本明細書の記載の基本的な概念を概略的に示すだけであって、図面では、本発明の実際の実施に関連する構成要素の数、形状、及びサイズではなく、本明細書の記載に関連する構成要素のみを示している。実際の実施において、各構成要素のタイプ、数及び比率は自由に変更でき、構成要素のレイアウトタイプもより複雑になる場合がある。
【００３５】
また、以下の説明では、実施形態の完全な理解を容易にするために具体的な細部を提供して説明しいる。しかしながら、当業者であれば、これらの具体的な細部が説明されなくても各実施形態の実施が可能であることを分かるべきである。
【００３６】
本発明の技術方案のステップの説明に進む前に、Ｂ類の人について定義を行う。
【００３７】
感染症の伝播過程において、Ａ、Ｂ、Ｃの３種類の人がいると想定する。Ａはウイルス感染の感染確認者である。Ａは感染が確認される前に、２種類の人に遭遇した可能性があって、一種類はＢで、他の一種類はＣである。ＡとＢは知らない。ＡとＣは知っている。Ａがウイルス感染者と確認されたた後、Ｃ類の人を確認することは容易である。しかし、Ｂ類の人を見つけるのは難しい。これは、例えば、Ａが公共場所で知らないＢに会ったとしても、ＡはＢの存在を知らなく、ＢもＡの存在を知らないからである。したがって、Ｂは最大の隠れた危険となって、簡単に見つけることができず、誰がＢであるかはＢ自身を含んだ誰も知らない。
【００３８】
それで、本発明の実施形態では、疫病期間中の公共場所における潜在感染者の追跡方法、装置及びシステムを提供して、感染症の伝播メカニズムをルートとして、マルチターゲット追跡に基づいて潜在感染者の位置及び軌跡を決定し、時間及び空間の次元の特徴を結合して、潜在感染者の身元を確認する。ステップは下記の通りである。
【００３９】
（１）公共場所の業務フローチャートを結合し、キーエリアにおける感染確認者の移動位置を記述する。
（２）感染確認者の移動位置に従い、感染症の伝播メカニズムに基づく潜在感染者の検索と確認を行う。
（３）マルチターゲット追跡技術に基づく潜在感染者の軌跡の記述及び身元の確認を行う。
図１を参照すると、本発明の実施形態による、疫病期間中の公共場所における潜在感染者の追跡方法のステップフローチャートを示しており、以下のステップを含む。
【００４０】
Ｓ１１０：感染確認者の関連情報によって、公共場所における感染確認者の活動を行った時間ノード、及びその時間ノードとマッチングする位置情報を決定する。
【００４１】
Ｓ１２０：公共場所における感染確認者の時間ノードと位置情報によって、感染症の伝播メカニズムに基づいて、公共場所におけるビデオ監視装置によって提供されるビデオフレームデータを利用して潜在感染者を検索する。
【００４２】
Ｓ１３０：マルチターゲット追跡に基づいて潜在感染者を追跡し、その潜在感染者の公共場所における活動の時間ノードを結合して身元を確認する。
【００４３】
次は、空港ターミナルを例として、本実施形態による疫病期間中の公共場所における潜在感染者の追跡方法をさらに詳細に説明する。説明すべきことは、本実施形態は、空港ターミナルを例に挙げて説明するが、本発明は空港ターミナルに限定されず、ビデオ監視装置が設置されてあって、認証を行う必要があるバス停留所、駅、埠頭等にも適用可能である。
【００４４】
図２を参照すると、図２は、本発明の実施形態による、疫病期間中の公共場所における潜在感染者の追跡方法の業務フローチャートを示している。
【００４５】
簡単に言えば、ウイルスに感染された感染確認者がポートから離れる前に、感染確認者の関連情報（感染確認者の個人情報とフライトの運行情報を含む）及び感染症の伝播メカニズムに基づいて、チェックインエリア、セキュリティチェックエリア、待機エリアでビデオフレームの時間軸情報に従って通行人の特徴を特定し、潜在感染者を検索することである。そのうち、各エリアには、三つの重要なポイントが含まれる。１）キーエリアにおける感染確認者の時間ノード及び位置情報を確認する。２）ウイルスの伝播メカニズムに基づいて、感染可能者の位置及び画像の身元をキャリブレーションする。３）キーエリアにおける潜在感染者の身元情報の追跡及び確認を行う。一実施形態として、上記のプロセスは、図３のように、以下のステップによって実現できる。
【００４６】
図３は、感染確認者の関連情報によって、公共場所における感染確認者の活動を行った時間ノード、及び時間ノードとマッチングする位置情報を決定する流れを示している。つまり、キーエリアにおけるウイルス感染確認者の移動位置を決定する方法である。
【００４７】
ステップＳ３１０：感染確認者の身元情報とフライト情報を照会する。
【００４８】
ステップＳ３２０：身元情報とフライト情報に基づいて、感染確認者の空港ターミナルのチェックインエリア、セキュリティチェックエリア及び待機エリアにおける三つの時間ノードを決定する。
【００４９】
ステップＳ３３０：感染確認者情報集合
【数９】
2021508896.tif 000013
を確立する。そのうち、Faceは身元情報の表現形式の一つであって、顔情報を表す。Fliはフライト情報である。Timeは時系列の集合を表し、Ａのチェックイン時間Ctime、セキュリティチェック時間Stime、搭乗チケットチェック時間Btimeを含む。具体的には、下記のように表示される。
【数１０】
2021508896.tif 000014
【００５０】
ステップＳ３４０：時間ノード及びチェックインカウンタ、セキュリティチェック通路、及び待機チケットチェックカウンタを介して、対応されるカメラＩＤを確認する。
【００５１】
ステップＳ３５０：カメラＩＤに従い、Time時間ノードのビデオフレームを抽出する。
【００５２】
ステップＳ３６０：ビデオフレーム中の通行人について検出を行って、感染確認者を抽出する。このステップは、次の流れで実現できる。
【００５３】
異なる時間ノードの異なるビデオフレームにおける感染確認者の位置及び特徴を抽出して、特徴空間を構築する。
【００５４】
移動距離と軌跡確率に基づいて空間確率特徴を構築する。
特徴空間及び空間確率特徴に従い、隣接する時点の異なるビデオフレームにおける感染確認者の類似度を判断し、類似度が所定の閾値より大きい場合、ビデオフレームにおける感染確認者をもとにして、感染確認者の登録を行ったノードまで追跡を続けることで、感染確認者の確認を行う。
【００５５】
上記の確認方法については、潜在感染者（Ｂ類の人）に係る場合にさらに説明するため、ここでは説明を繰り返さない。関連部分については、以下の説明を参照すればいい。
【００５６】
次に、Ｓ１２０について説明する。つまり、公共場所における感染確認者の時間ノードと位置情報及び感染症の伝播メカニズムに基づいて、公共場所におけるビデオ監視装置によって提供されるビデオフレームデータを利用しながら潜在感染者を検索する方法について説明する。具体的には、図４のようなステップが含まれる。
【００５７】
ステップＳ４１０：ウイルス感染者Ａの位置を確認した上、３つのエリアにおけるＡの位置を円心Ｏとして、感染症の伝播範囲の半径をビデオフレームにマッピングした距離を半径として、円形エリアを構築する。円形エリアにおける通行人をＢ類の人に決定できる。つまり、潜在感染者と決定できる。このとき、Ｂ類の人の位置をBiとして、ビデオフレーム画像の時間を
2021508896.tif 000015
と記録する。
【００５８】
ステップ４２０：ウイルス感染確認者Ａがいるビデオフレームを開始ビデオフレームとして、３つのエリアの時間をCtime,Stime,Btimeとして、位置Ｏｉが次の関係式を満たすまでに、時間ノードCtime,Stime,Btime の前と後でＡを追跡する。
【数１１】
2021508896.tif 000016
ここで、ｄｉは、実際の感染症の伝播距離をビデオフレームにおける距離にマッピングしたものである。
【００５９】
ステップＳ４３０：Ｏｉを円心として、ｄｉで円形エリアを構築し続け、Ｂ類の人Bjを決定する。
【００６０】
ステップＳ４４０：すべてのＢ類の人が確認されるまでに、ステップ４２０、ステップ４３０を繰り返す。
【００６１】
次は、ステップＳ１３０をさらに説明する。一実施形態として、潜在感染者をもとに追跡して身元を確認することは、以下のステップによって実現できる。
ｉ）抽出された
2021508896.tif 000017
時間ノードに対応するビデオフレームを開始点として、Biの位置及び特徴を決定する。
ｉｉ）このビデオフレームBiにおける特徴ピラミッドを抽出して構成し、特徴空間を構成する。
ｉｉｉ）空間確率特徴を構築する。主には、移動距離、軌跡確率を参照し、それらを追跡することを指す。
ｉｖ）チェックイン、セキュリティチェック、又は搭乗ゲートの場所まで追跡し、ノード時間に従いＢ類の人の身元情報を確認する。
【００６２】
本実施形態では、空港ターミナルの既存の監視環境で、感染確認者の身元が確認されたことを土台にして、主動的に公共場所で感染確認者と関連する潜在感染者を検索して、その身元を決定する。データテストの結果、その精度は８０％以上に達することができて、これにより、公共交通機関における潜在感染者の検索と確認の課題を大幅に解決し、感染予防と制御に重要な役割を果たす。
【００６３】
以下は、より具体的な実施例を結合して、本発明による疫病期間中の公共エリアにおける潜在感染者の追跡方法を説明する。本実施例では、ターミナルのセキュリティチェックエリアを例として説明する。
【００６４】
ステップ１：感染確認者Ａの関連情報に基づいて、空港ターミナルにおける感染確認者Ａの活動を行った時間ノード、及びその時間ノードとマッチングする位置情報を決定する。
【００６５】
具体的には、感染確認者Ａの身元情報とフライト情報に基づいて、感染確認者Ａがセキュリティチェック通路に出現した位置及び時間を確認する。例えば、ある空港のセキュリティチェックエリアに出現して、チェックインをした時間が１１時２３分で、通ったセキュリティチェック通路の番号が１０であるとする。
【００６６】
時間ノード１１：２３及びセキュリティチェック通路の番号１０によって、ビデオフレームを取得し、その中の１つのフレーム画像を取得する。その後、そのフレーム画像を分割し、既存のＲＣＮＮモデルを使用して通行人を検出し、通行人に番号を付ける。図５の通りである。チケットチェックの位置によって感染確認者Ａを決定し、画像における番号が４５であることが分かる。図５で、Ａとマークされた枠が感染確認者Ａである。
【００６７】
ステップ２：ターミナルのセキュリティチェックエリアにおける感染確認者Ａの時間ノードと位置情報に基づき、感染症の伝播メカニズムに基づいて、ターミナルのセキュリティチェックエリアにおけるビデオ監視装置によって提供されるビデオフレームデータを利用して、潜在感染者、つまりＢ類の人を検索する。
【００６８】
感染症の伝播メカニズムに従い、ｍメートル以内の範囲での滞留時間がｔであるという条件を満たせば、すべて潜在感染者Ｂと見なすことができる。
【００６９】
セキュリティチェックエリアのチケットチェックカウンタに立っている通行人の安全距離がｄであり、画像にマッピングした距離がｙであるとする。ｙを基準距離として定義し、後続の半径計算に基礎根拠を提供する。
【００７０】
ビデオの視点モデルによれば、３次元空間における距離の変化と２次元空間における距離の変化には比例関係がある。
【数１２】
2021508896.tif 000018
とする。
この場合、画像における感染確認者Ａの位置に従い、この画像にマッピングされたｍの大きさはｍａである。
【００７１】
図６に示すように、ビデオフレームにおいて、感染確認者Ａの位置を円心として、ｍａを半径とする円を構築する。図６は、感染確認者を円心にして平面上の円を構築することで第１陣の潜在感染者を決定する場合の概略図である。ここで、ｍ＝１メートル、ａ＝０．０５である。図６で、円Ｏのエリアにいる人が第１陣の潜在感染者B1であり、図６における番号は１９と３０である。
【００７２】
次は、履歴データを使用し、感染確認者Ａがこの位置に出現する前の軌跡を逆順で追跡し、感染確認者Ａが出現する前の次の位置を円心として円Ｏ1を構築する。円Ｏと円Ｏ1は接しており、円Ｏ1の半径は、図７に示すモデルに従って計算する。
【００７３】
図７で、ｙ1は、円Ｏ1における感染確認者の位置及び対応して作った２次元座標系におけるｙ軸の値を表しており、ｘ1は、円Ｏ1位置におけるＸ軸の値を表しており、基準線の座標は(ｘ,ｙ)である。ｙ2とｘ2はそれぞれ円Ｏにおける感染確認者の位置を表す。その場合、画像で占めるピクセル（面積）S1とS2は、次の関係を満たす。
【数１３】
2021508896.tif 000019
Ｏ1の半径をr1とし、円Ｏの半径をrとすると、r1の計算式は次の通りである。
【数１４】
2021508896.tif 000020
rとr1は次の関係を満たす。
【数１５】
2021508896.tif 000021
上記の方法により円Ｏ1を決定する。そして、円Ｏ1における潜在感染者を決定する。図８を参照すればいい。図８は、円Ｏに外接する円Ｏ1における第２陣の潜在感染者を示す概略図である。
【００７４】
円Ｏから円Ｏ1に至るステップを繰り返して、感染者Ａの移動軌跡に沿って、すべての潜在感染者すなわちＢ類の人の位置を確認する。
【００７５】
ステップ３：潜在感染者をもとして追跡しながら身元を確認する。本実施形態は、マルチターゲット追跡技術に基づく潜在感染者の軌跡記述と身元確認である。
【００７６】
上述のように、円Ｏにおける感染者の位置は既に確認されており、その番号は１９と３０である。潜在感染者の追跡技術は、感染確認者にも適用される。
【００７７】
2021508896.tif 000022
時間のビデオフレームを従来技術のｍａｓｋ−ＲＣＮＮネットワークに入力し、番号が１９と３０の人の特徴を抽出して、それらの特徴ピラミッドを構築し、特徴空間を構築する。特徴ピラミッドを使用すると、より高レベルのセマンティック情報が検出できるように促すことができる。その特徴空間を次のように設定する。
【数１６】
2021508896.tif 000023
図９を参照すると、図９は、特徴ピラミッドの概略図である。図９で、各レイヤーのセマンティック情報は、下から上へ、低から高へ、セマンティックがますます強くなって、検出された情報のレベルもますます高くなり、マイニングされた画像情報もより徹底的である。
2021508896.tif 000024
フレーム画像に対し通行人の検出を行って、同様にその特徴ピラミッドを構築する。次のように記録する。
【数１７】
2021508896.tif 000025
セキュリティチェックエリアの地理的な位置特徴に従い、通行人の空間移動方向は決定的であり、異なる方向へ移動する確率は異なる。異なる方向への移動確率をＰｉとする（Ｐｉは統計経験値である。例えば、セキュリティゲートの場合、通行人がセキュリティゲートに向かって移動する確率は、他の方向を向かって移動する確率より大きい）。したがって、両者の間の類似度（Ｑ）の測定は次のように定義される。
【数１８】
2021508896.tif 000026
計算量を削減するために、実際の類似度の計算では、次のように、対応レイヤーの特徴を使用して類似度の計算を行う。
【数１９】
2021508896.tif 000027
最終的には下記の通りである。
2021508896.tif 000028
また、実際の使用中において、Ｐ１＞Ｐ２＞Ｐ３である。
【００７８】
その結果、特徴全体の計算の重複を回避でき、実際の応用における計算速度をさらに向上する。
この類似度に従い、
2021508896.tif 000029
フレームにおける潜在感染者の位置を確認し、位置がセキュリティチェック通路のチケットチェックカウンタになるまで追跡を行い、チケットチェック情報によって、潜在感染者Ｂの身元を確認して報告する。
【００７９】
一実施例として、ステップ１でも、上述の類似度に基づく方法を使用して、セキュリティチェックエリアにおける感染確認者Ａの身元を継続的に検証する。アルゴリズムは同じなので、ここでは説明を繰り返さない。
【００８０】
説明すべきことは、上記の実施例では、セキュリティチェックエリアを例として、潜在感染者Ｂの身元を確認する方法を説明するだけで、チェックインエリアや待機エリアには関与していないが、この２つのエリアにおける潜在感染者Ｂの身元を確認方法も、該実施例による方法と同じとなるため、ここでは説明を繰り返さない。具体的な実施では、感染確認者について、チェックインエリアから確定した潜在感染者を第１集合とし、セキュリティチェックエリアから確定した潜在感染者を第２集合とし、待機エリアで確定した潜在感染者を第３集合とする場合、第１集合、第２集合及び第３集合の和集合を潜在感染者と見なす。
【００８１】
本実施形態では、公共場所（空港ターミナルなど）の既存の監視環境に基づいており、感染確認者の身元が確認された上に、主動的に公共場所で感染確認者と関連する潜在感染者を検索して、その身元を決定する。データテストの結果、その精度は８０％以上に達することができ、これにより、公共交通機関における潜在感染者の検索と確認の課題を大幅に解決し、感染予防と制御に重要な役割を果たす。
【００８２】
以下、図１０のように、本発明のまた他の実施形態による疫病期間中の公共場所における潜在感染者の追跡装置は、
感染確認者の関連情報によって、感染確認者の公共場所における活動の時間ノード、及びその時間ノードとマッチングする位置情報を決定する、感染確認者検索モジュール１００１と、
公共場所における感染確認者の時間ノードと位置情報に従い、感染症の伝播メカニズムに基づいて、その公共場所のビデオ監視装置によって提供されるビデオフレームデータを利用して潜在感染者を検索する、潜在感染者検索モジュール１００２と、
マルチターゲット追跡に基づいて潜在感染者を追跡し、その潜在感染者の公共場所における活動の時間ノードを結合して身元を確認する、潜在感染者身元確認モジュール１００３とを含む。
【００８３】
説明すべきことは、疫病期間中の公共場所における潜在感染者の追跡装置と、疫病期間中の公共場所における潜在感染者の追跡方法との原理は同じである。疫病期間中の公共場所における潜在感染者の追跡方法は上に説明されており、関連する点は互いに参照すればいいので、ここでは説明を繰り返さない。
【００８４】
なお、本発明のさらに他の実施形態では、疫病期間中の公共場所における潜在感染者の追跡システムを提供する。本実施形態によるシステムは、少なくとも一つのプロセッサと、少なくとも１つのプロセッサに通信可能に接続されたメモリとを含んでおり、メモリには、少なくとも１つのプロセッサによって実行可能な命令が記憶されており、少なくとも１つのプロセッサにより該当の命令を実行することで、本発明の実施形態による疫病期間中の公共場所における潜在感染者の追跡方法が少なくとも１つのプロセッサによって実行される。
【００８５】
疫病期間中の公共場所における潜在感染者の追跡方法については既に説明しており、関連する点は互いに参照することができるため、ここでは説明を繰り返さない。
【００８６】
上記は本発明の具体的な実施形態に過ぎず、本発明の保護範囲はこれに限定されない。本発明に記載の技術的範囲により当業者が容易に考えられる変更又は置換は、すべて本発明の保護範囲内に含まれるべきである。したがって、本発明の保護範囲は、特許請求の範囲の保護範囲に従うべきである。
【図１】
2021508896.tif 000035
【図２】
2021508896.tif 000036
【図３】
2021508896.tif 000037
【図４】
2021508896.tif 000038
【図５】
2021508896.tif 000039
【図６】
2021508896.tif 000040
【図７】
2021508896.tif 000041
【図８】
2021508896.tif 000042
【図９】
2021508896.tif 000043
【図１０】
2021508896.tif 000044
【手続補正書】
【提出日】令和2年8月26日(2020.8.26)
【手続補正１】
【補正対象書類名】特許請求の範囲
【補正対象項目名】全文
【補正方法】変更
【補正の内容】
【特許請求の範囲】
【請求項１】
感染確認者の関連情報によって、前記感染確認者の公共場所における活動の時間ノード、及び前記時間ノードとマッチングする位置情報を決定するステップと、
前記感染確認者の前記公共場所における前記時間ノードと前記位置情報により、感染症の伝播メカニズムに基づいて、前記公共場所のビデオ監視装置によって提供されるビデオフレームデータを利用して、潜在感染者を検索するステップと、
マルチターゲット追跡に基づいて、前記潜在感染者を追跡し、前記潜在感染者の前記公共場所における活動の時間ノードを結合して身元を確認するステップとを含む、ことを特徴とする疫病期間中の公共場所における潜在感染者の追跡方法。
【請求項２】
前記感染確認者の関連情報には、感染確認者の身元情報と利用した交通手段の運行情報とが含まれ、
前記感染確認者の前記公共場所における位置情報を決定することには、
前記感染確認者の前記公共場所で行った活動に対応する時間ノードによって、前記公共場所での対応のビデオ監視装置を決定するステップと、
前記ビデオ監視装置から抽出された各時間ノードのビデオフレームを受信するステップと、
前記ビデオフレームにおいて、前記感染確認者を検出、抽出し、継続的に追跡確認するステップとが含まれる、
ことを特徴とする請求項１に記載の疫病期間中の公共場所における潜在感染者の追跡方法。
【請求項３】
前記ビデオフレームにおいて、前記感染確認者を検出、抽出し、継続的に追跡確認することには、
異なる時間ノードの異なるビデオフレームにおける前記感染確認者の位置及び特徴を抽出し、特徴空間を構築することと、
移動距離と軌跡確率に基づいて空間確率特徴を構築することと、
前記特徴空間及び前記空間確率特徴に基づいて、隣接する時点の異なるビデオフレームにおける感染確認者の類似度を判断し、類似度が所定の閾値より大きい場合、そのビデオフレームにおける感染確認者をもとにして、前記感染確認者の公共場所におけるすべての位置の記述が完了するまで追跡を続けて、前記感染確認者の公共場所における軌跡を確認することとが含まれる、
ことを特徴とする請求項２に記載の疫病期間中の公共場所における潜在感染者の追跡方法。
【請求項４】
前記感染症の伝播メカニズムに基づいて、前記公共場所のビデオ監視装置によって提供されるビデオフレームデータを利用して潜在感染者を検索することには、
前記ビデオフレームにおいて、前記感染確認者の位置を円心として、所定の感染症の伝播範囲をビデオフレームでの距離にマッピングした後、前記距離を半径として円形エリアを構築することと、
前記円形エリアにおける通行人を潜在感染者として決定することと、
前記感染確認者の現在のビデオフレームを開始ビデオフレームとして、前記感染確認者の位置が条件：
【数１】
2021508896.tif 000045
（ここで、Ｏｉは前記感染確認者の現在の位置を表し、Ｏｉ−１は前記感染確認者の移動軌跡における他の位置を表す。）
を満たすまで、該当のビデオフレームに対応する時間ノードに対し、前後の追跡を行うことと、
Ｏｉを中心として、ｄｉを半径として、継続して円形エリアを構築し、再び潜在感染者を検索することとが含まれており、
前記公共場所におけるすべての感染者を見つけるまで、上記のステップを繰り返す、
ことを特徴とする請求項３に記載の疫病期間中の公共場所における潜在感染者の追跡方法。
【請求項５】
マルチターゲット追跡に基づいて、前記潜在感染者を追跡し、前記潜在感染者の前記公共場所における活動の時間ノードを結合して身元を確認することには、
検索された前記潜在感染者の異なる時間ノードの異なるビデオフレームにおける位置及び特徴を抽出して、特徴空間を構築するステップと、
移動距離と軌跡確率に基づいて空間確率特徴を構築するステップと、
前記特徴空間及び前記空間確率特徴に従い、隣接する時点の異なるビデオフレームにおける潜在感染者の類似度を判断し、類似度が所定の閾値より大きい場合、そのビデオフレームにおける潜在感染者をもとに追跡を続け、前記潜在感染者の登録を行ったノードを追跡した時に前記潜在感染者の身元を確認して報告するステップとが含まれる、
ことを特徴とする請求項４に記載の疫病期間中の公共場所における潜在感染者の追跡方法。
【請求項６】
前記感染確認者の異なる時間ノードの異なるビデオフレームにおける位置及び特徴を抽出した後、さらに、特徴ピラミッドを構築し、前記特徴ピラミッドに応じて前期特徴空間を決定することを含み、及び、
検索された前記潜在感染者の異なる時間ノードの異なるビデオフレームにおける位置及び特徴を抽出した後、さらに、特徴ピラミッドを構築し、前記特徴ピラミッドに応じて前記特徴空間を決定することを含む、
ことを特徴とする請求項５に記載の疫病期間中の公共場所における潜在感染者の追跡方法。
【請求項７】
前記感染確認者又は前記潜在感染者のビデオフレームにより取得された特徴空間及び空間確立特徴に基づいて、隣接する時点の異なるビデオフレームにおける前記感染確認者又は前記潜在感染者の類似度を判断するには、
第ｉ時刻にビデオフレームから抽出した特徴ピラミッドで構築される特徴空間を
【数２】
2021508896.tif 000046
として、
第ｊ＝ｉ＋１時刻にビデオフレームから抽出した特徴ピラミッドで構築される特徴空間を
【数３】
2021508896.tif 000047
として、
前記感染確認者又は前記潜在感染者の異なる方向における空間確率特徴をＰｉとした場合、
異なるビデオフレームにおける前記感染確認者又は前記潜在感染者の類似度を、下記の計算式：
【数４】
2021508896.tif 000048
（ここで、Ｑは異なるビデオフレームにおける前記感染確認者の類似度又は異なるビデオフレームにおける前記潜在感染者の類似度であって、ｉとｊはいずれも自然数であって、実際の応用では、Ｐ１＞Ｐ２＞Ｐ３である。）により計算される、
ことを特徴とする請求項６に記載の疫病期間中の公共場所における潜在感染者の追跡方法。
【請求項８】
前記公共場所はターミナルであって、
前記ターミナルは、チェックインエリア、セキュリティチェックエリア、待機エリアに分けられており、
前記チェックインエリア、前記セキュリティチェックエリア及び前記待機エリアにおいて、請求項１から請求項７のいずれか１項に記載の疫病期間中の公共場所における潜在感染者の追跡方法を実行し、
前記感染確認者に対して、前記チェックインエリアで確認された潜在感染者を第１集合とし、前記セキュリティチェックエリアで確認された潜在感染者を第２集合とし、前記待機エリアで確認された潜在感染者を第３集合とする場合、
前記第１集合、前記第２集合、及び前記第３集合の和集合を潜在感染者と見なす、
ことを特徴とする疫病期間中の公共場所における潜在感染者の追跡方法。
【請求項９】
感染確認者の関連情報によって、前記感染確認者の公共場所における活動の時間ノード、及び前記時間ノードとマッチングする位置情報を決定する、感染確認者検索モジュールと、
前記感染確認者の前記公共場所における時間ノードと位置情報により、感染症の伝播メカニズムに基づいて、前記公共場所のビデオ監視装置によって提供されるビデオフレームデータを利用して潜在感染者を検索する、潜在感染者検索モジュールと、
マルチターゲット追跡に基づいて、前記潜在感染者を追跡し、前記潜在感染者の前記公共場所における活動の時間ノードを結合して身元を確認する、潜在感染者身元確認モジュールとを含む、ことを特徴とする疫病期間中の公共場所における潜在感染者の追跡装置。
【請求項１０】
少なくとも一つのプロセッサと、
前記少なくとも１つのプロセッサに通信可能に接続されるメモリとを含んでおり、
前記メモリには、前記少なくとも１つのプロセッサによって実行可能な命令が記憶されており、
前記少なくとも１つのプロセッサにより前記命令を実行することで、請求項１から請求項７のいずれか１項に記載の疫病期間中の公共場所における潜在感染者の追跡方法が前記少なくとも１つのプロセッサによって実行される、
ことを特徴とする疫病期間中の公共場所における潜在感染者の追跡システム。
【手続補正２】
【補正対象書類名】明細書
【補正対象項目名】００１７
【補正方法】変更
【補正の内容】
【００１７】
さらに、上記の追跡方法において、前記感染確認者又は前記潜在感染者のビデオフレームにより取得された特徴空間と及び空間確立特徴に基づいて、隣接する時点の異なるビデオフレームにおける前記感染確認者又は前記潜在感染者の類似度を判断するには、
第ｉ時刻にビデオフレームから抽出した特徴ピラミッドで構築される特徴空間を
【数２】
2021508896.tif 000049
として、
第ｊ＝ｉ＋１時刻にビデオフレームから抽出した特徴ピラミッドで構築される特徴空間を
【数３】
2021508896.tif 000050
として、
前記感染確認者又は前記潜在感染者の異なる方向における空間確率特徴をＰｉとした場合、
異なるビデオフレームにおける前記感染確認者又は前記潜在感染者の類似度を、次のように計算される。
【数４】
2021508896.tif 000051
【手続補正３】
【補正対象書類名】明細書
【補正対象項目名】００２７
【補正方法】変更
【補正の内容】
【００２７】
【数８】
2021508896.tif 000052
ここで、Ｑは異なるビデオフレームにおける前記感染確認者の類似度又は異なるビデオフレームにおける前記潜在感染者の類似度であって、ｉとｊはいずれも自然数である。実際の応用では、Ｐ１＞Ｐ２＞Ｐ３である。
【手続補正４】
【補正対象書類名】明細書
【補正対象項目名】００７７
【補正方法】変更
【補正の内容】
【００７７】
2021508896.tif 000053
時間のビデオフレームを従来技術のｍａｓｋ−ＲＣＮＮネットワークに入力し、番号が１９と３０の人の特徴を抽出して、それらの特徴ピラミッドを構築し、特徴空間を構築する。特徴ピラミッドを使用すると、より高レベルのセマンティック情報が検出できるように促すことができる。その特徴空間を次のように設定する。
【数１６】
2021508896.tif 000054
図９を参照すると、図９は、特徴ピラミッドの概略図である。図９で、各レイヤーのセマンティック情報は、下から上へ、低から高へ、セマンティックがますます強くなって、検出された情報のレベルもますます高くなり、マイニングされた画像情報もより徹底的である。
2021508896.tif 000055
フレーム画像に対し通行人の検出を行って、同様にその特徴ピラミッドを構築する。次のように記録する。
【数１７】
2021508896.tif 000056
セキュリティチェックエリアの地理的な位置特徴に従い、通行人の空間移動方向は決定的であり、異なる方向へ移動する確率は異なる。異なる方向への移動確率をＰｉとする（Ｐｉは統計経験値である。例えば、セキュリティゲートの場合、通行人がセキュリティゲートに向かって移動する確率は、他の方向を向かって移動する確率より大きい）。したがって、両者の間の類似度（Ｑ）の測定は次のように定義される。
【数１８】
2021508896.tif 000057
計算量を削減するために、実際の類似度の計算では、次のように、対応レイヤーの特徴を使用して類似度の計算を行う。
【数１９】
2021508896.tif 000058
また、実際の使用中において、Ｐ１＞Ｐ２＞Ｐ３である。